(57)【要約】【課題】  トナーがトナーカートリッジ内で凝集しにくい梱包方法を提供することにある。【解決手段】  トナーカートリッジ梱包ケース１は、トナーカートリッジ収容ケース１０と、収容ケース支持枠１１と、支持枠収容ケース１２とを備えている。トナーカートリッジ収容ケース１０は、一方向に長いトナーカートリッジを収容するためのものである。収容ケース支持枠１１は、トナーカートリッジ収容ケース１０が長手方向軸まわりに回転可能なように、トナーカートリッジ収容ケース１０を支持している。支持枠収容ケース１２は、トナーカートリッジ収容ケース１０が長手方向軸まわりに回転可能なようにトナーカートリッジ収容ケース１０を支持した状態の収容ケース支持枠１１を少なくとも１つ収容するためのものである。【選択図】      図２
2005266319.tif 000002
【特許請求の範囲】
【請求項１】
一方向に長いトナーカートリッジを収容するためのトナーカートリッジ収容ケースと、
前記トナーカートリッジ収容ケースが長手方向軸まわりに回転可能なように前記トナーカートリッジ収容ケースを支持する収容ケース支持枠と、
前記トナーカートリッジ収容ケースが長手方向軸まわりに回転可能なように前記トナーカートリッジ収容ケースを支持した状態の前記収容ケース支持枠を少なくとも１つ収容するための支持枠収容ケースと
を備えるトナーカートリッジ梱包ケース。
【請求項２】
前記収容ケース支持枠は、前記支持枠収容ケースの底面に設置される水平部と、前記水平部において対向する縁部から略垂直上方に前記縁部に一体に形成される一対の垂直部とを有しており、
一対の前記垂直部の垂直方向および水平方向の少なくともいずれかの方向には、一対の貫通孔が互いに対向するように少なくとも１つ形成されており、
前記トナーカートリッジ収容ケースは、両端部が一対の前記貫通孔に回転自在に挿通され、一対の前記垂直部の間に架け渡されている、
請求項１に記載のトナーカートリッジ梱包ケース。
【請求項３】
前記収容ケース支持枠は、前記支持枠収容ケースの底面に設置される水平部と、前記水平部の外周縁部から略垂直上方に前記外周縁部に一体に形成される垂直部とを有しており、
互いに対向する一対の前記垂直部の垂直方向および水平方向の少なくともいずれかの方向には、一対の貫通孔が互いに対向するように少なくとも１つ形成されており、
前記トナーカートリッジ収容ケースは、両端部が一対の前記貫通孔に回転自在に挿通され、一対の前記垂直部の間に架け渡されている、
請求項１に記載のトナーカートリッジ梱包ケース。
【請求項４】
前記収容ケース支持枠は、前記支持枠収容ケースの底面に設置される第１水平部と、前記第１水平部の上方に所定の間隔を隔てて配置される第２水平部と、前記第１水平部と前記第２水平部との外周縁部を略垂直方向に連結するように前記第１および第２水平部の外周縁部に一体に形成される垂直部とを有しており、
互いに対向する一対の前記垂直部の垂直方向および水平方向の少なくともいずれかの方向には、一対の貫通孔が互いに対向するように少なくとも１つ形成されており、
前記トナーカートリッジ収容ケースは、両端部が一対の前記貫通孔に回転自在に挿通され、一対の前記垂直部の間に架け渡されている、
請求項１に記載のトナーカートリッジ梱包ケース。
【請求項５】
前記支持枠収容ケースは、前記トナーカートリッジ収容ケースが長手方向軸まわりに回転可能なように前記トナーカートリッジ収容ケースを支持した状態の複数の前記収容ケース支持枠を、前記長手方向軸にくい違う軸方向に並べて収容可能になっている、
請求項２から４のいずれかに記載のトナーカートリッジ梱包ケース。
【請求項６】
前記トナーカートリッジ収容ケースは、一方向に長い矩形箱状に形成されており、少なくともいずれか一面が蓋部になっている、
請求項２から５のいずれかに記載のトナーカートリッジ梱包ケース。
【請求項７】
前記トナーカートリッジ収容ケースは、一方向に長い多角形筒状に形成されており、長手方向の両端部が蓋部により閉塞可能になっており、前記両端部の前記蓋部の少なくともいずれか一方が開閉自在になっている、
請求項２から５のいずれかに記載のトナーカートリッジ梱包ケース。
【請求項８】
前記トナーカートリッジ収容ケースは、一方向に長い円筒状に形成されており、長手方向の両端部が蓋部により閉塞可能になっており、前記両端部の前記蓋部の少なくともいずれか一方が開閉自在になっている、
請求項２から５のいずれかに記載のトナーカートリッジ梱包ケース。
【発明の詳細な説明】
【技術分野】
【０００１】
本発明は、トナーカートリッジ梱包ケースに関する。
【背景技術】
【０００２】
図１に示すように、従来のトナーカートリッジ梱包ケース６００は、トナーが充填されたトナーカートリッジ６０１を梱包するためのものであり、主に、第１収容ケース６０２と第２収容ケース６０３とを備えている。第１収容ケース６０２は、一方向に長いトナーカートリッジ６０１を収容するためのものである。第１収容ケース６０２は、一方向に長い箱状に形成されており、少なくともいずれか一面が蓋部６０２ａになっている。ここでは上面が蓋部６０２ａになっている。この蓋部６０２ａを開けることで、トナーカートリッジ６０１を第１収容ケース６０２内に収容できるようになっている。このような第１収容ケース６０２には、一般的に、トナーカートリッジ６０１が画像形成装置に装着されるときの装着姿勢と同じ姿勢になるように、トナーカートリッジ６０１が第１収容ケース６０２内に配置される。第２収容ケース６０３は、複数の第１収容ケース６０２を収容可能になっている。第２収容ケース６０３は、箱状に形成されており、少なくともいずれか一面が蓋部６０３ａになっている。ここでは上面が蓋部６０３ａになっている。第２収容ケース６０３は、第１収容ケース６０２を、長手方向にくい違う方向すなわち上下方向および左右方向の少なくともいずれか一方向に並べて収容可能になっている。ここでは、第２収容ケース６０３は、第１収容ケース６０２を上下方向に２つ並べて収容可能になっている。このように、トナーカートリッジ６０１が収容された第１収容ケース６０２を第２収容ケース６０３に収納梱包することで、複数のトナーカートリッジ６０１を輸送することができる。
【発明の開示】
【発明が解決しようとする課題】
【０００３】
従来のトナーカートリッジ梱包ケースでは、トナーカートリッジが画像形成装置に装着されるときの装着姿勢と同じ姿勢になるように、トナーカートリッジが第１収容ケースに配置される。この状態の第１収容ケースを第２収容ケースに収容して第２収容ケースを輸送すると、トナーが輸送中の振動等によりトナーカートリッジの底部側に凝集しやすくなる。そして、トナーが底部側に凝集したトナーカートリッジを画像形成装置に装着してしまうと、トナーがトナーカートリッジから不均一に供給されて、画像不良が発生するおそれがある。このような問題を解決するために、トナーカートリッジを画像形成装置に装着する前にトナーカートリッジを上下左右に振るという行為が行われているが、トナーがトナーカートリッジ内で一旦凝集してしまうと、トナーカートリッジを上下左右に振ってもトナーの凝集状態を解消しきれないことがある。
【０００４】
本発明の課題は、トナーがトナーカートリッジ内で凝集しにくい梱包方法を提供することにある。
【課題を解決するための手段】
【０００５】
請求項１に係るトナーカートリッジ梱包ケースは、トナーカートリッジ収容ケースと、収容ケース支持枠と、支持枠収容ケースとを備えている。トナーカートリッジ収容ケースは、一方向に長いトナーカートリッジを収容するためのものである。収容ケース支持枠は、トナーカートリッジ収容ケースが長手方向軸まわりに回転可能なように、トナーカートリッジ収容ケースを支持している。支持枠収容ケースは、トナーカートリッジ収容ケースが長手方向軸まわりに回転可能なようにトナーカートリッジ収容ケースを支持した状態の収容ケース支持枠を少なくとも１つ収容するためのものである。
【０００６】
このトナーカートリッジ梱包ケースでは、まず、トナーカートリッジがトナーカートリッジ収容ケースに収容される。次に、トナーカートリッジ収容ケースが、収容ケース支持枠に装着される。このとき、トナーカートリッジ収容ケースは、長手方向軸まわりに回転自在に収容ケース支持枠に支持されている。最後に、収容ケース支持枠が、支持枠収容ケースに収容される。
【０００７】
ここでは、トナーカートリッジ収容ケースが長手方向軸まわりに回転可能なように、収容ケース支持枠がトナーカートリッジ収容ケースを支持している。この収容ケース支持枠が、支持枠収容ケースに収容されている。これにより、支持枠収容ケースが輸送時に振動すると、支持枠収容ケースに収容された収納ケース支持枠において、トナーカートリッジ収容ケースが長手方向軸まわりに回転する。つまり、トナーカートリッジは長手方向軸まわりの重量配分が均一にはなっていないので、支持枠収容ケースおよび収容ケース支持枠からトナーカートリッジを収納したトナーカートリッジ収容ケースに輸送時の振動等が伝達されると、トナーカートリッジの長手方向軸まわりの重量配分の不均一さに応じて、トナーカートリッジ収容ケースの長手方向軸まわりに偏心力が生じて、トナーカートリッジ収容ケースは収納ケース支持枠において長手方向軸まわりに回転する。これにより、トナーがトナーカートリッジの底部側に凝集しにくくなる。
【０００８】
請求項２に係るトナーカートリッジ梱包ケースでは、請求項１に記載のトナーカートリッジ梱包ケースにおいて、収容ケース支持枠が、支持枠収容ケースの底面に設置される水平部と、水平部において対向する縁部から略垂直上方に縁部に一体に形成される一対の垂直部とを有している。一対の垂直部の垂直方向および水平方向の少なくともいずれかの方向には、一対の貫通孔が互いに対向するように少なくとも１つ形成されている。トナーカートリッジ収容ケースは、両端部が一対の貫通孔に回転自在に挿通され、一対の垂直部の間に架け渡されている。この場合、収容ケース支持枠は、支持枠収容ケースの底面に設置される水平部と、水平部において対向する縁部から略垂直上方に縁部に一体に形成される一対の垂直部とを有している。具体的には、収容ケース支持枠は、水平部が底面となり一対の垂直部が互いに対向する一対の側面となるような略Ｕ字形状に形成されている。これにより、トナーカートリッジ収容ケースの両端部が一対の垂直部すなわち一対の側面の貫通孔に回転自在に挿通され、トナーカートリッジ収容ケースが一対の垂直部すなわち一対の側面の間に架け渡されている。これにより、トナーカートリッジ収容ケースは、両端部が一対の垂直部の貫通孔に支持された状態で長手方向軸まわりに回転することができ、トナーがトナーカートリッジの底部側に凝集しにくくなる。
【０００９】
請求項３に係るトナーカートリッジ梱包ケースでは、請求項１に記載のトナーカートリッジ梱包ケースにおいて、収容ケース支持枠が、支持枠収容ケースの底面に設置される水平部と、水平部の外周縁部から略垂直上方に外周縁部に一体に形成される垂直部とを有している。互いに対向する一対の垂直部の垂直方向および水平方向の少なくともいずれかの方向には、一対の貫通孔が互いに対向するように少なくとも１つ形成されている。トナーカートリッジ収容ケースは、両端部が一対の貫通孔に回転自在に挿通され、一対の垂直部の間に架け渡されている。この場合、収容ケース支持枠が、支持枠収容ケースの底面に設置される水平部と、水平部の外周縁部から略垂直上方に外周縁部に一体に形成される垂直部とを有している。具体的には、収容ケース支持枠は、水平部が底面となり垂直部が底面外周を取り囲む側面となるような上面が開口した箱状に形成されている。これにより、、収容ケース支持枠の垂直部の剛性および強度を十分に確保することができ、トナーカートリッジ収容ケースの両端部を収容ケース支持枠の垂直部において安定に支持することができる。また、トナーカートリッジ収容ケースの両端部が一対の貫通孔に回転自在に挿通され、トナーカートリッジ収容ケースが一対の垂直部の間に架け渡されているので、トナーカートリッジ収容ケースは、両端部が一対の垂直部の貫通孔に支持された状態で長手方向軸まわりに回転することができ、トナーがトナーカートリッジの底部側に凝集しにくくなる。
【００１０】
請求項４に係るトナーカートリッジ梱包ケースでは、請求項１に記載のトナーカートリッジ梱包ケースにおいて、収容ケース支持枠が、支持枠収容ケースの底面に設置される第１水平部と、水平部の上方に所定の間隔を隔てて配置される第２水平部と、第１水平部と第２水平部との外周縁部を略垂直方向に連結するように第１および第２水平部の外周縁部に一体に形成される垂直部とを有している。互いに対向する一対の垂直部の垂直方向および水平方向の少なくともいずれかの方向には、一対の貫通孔が互いに対向するように少なくとも１つ形成されている。トナーカートリッジ収容ケースは、両端部が一対の貫通孔に回転自在に挿通され、一対の前記垂直部の間に架け渡されている。この場合、収容ケース支持枠が、第１水平部と、第２水平部と、垂直部とを有している。具体的には、収容ケース支持枠は、第１水平部が底面となり第２水平部が上面となり垂直部が底面と上面との外周を取り囲む側面となるような箱状に形成されている。これにより、収容ケース支持枠の垂直部の剛性および強度を十分に確保することができ、トナーカートリッジ収容ケースの両端部を収容ケース支持枠の垂直部において安定に支持することができる。また、トナーカートリッジ収容ケースの両端部が一対の貫通孔に回転自在に挿通され、トナーカートリッジ収容ケースが一対の垂直部の間に架け渡されているので、トナーカートリッジ収容ケースは、両端部が一対の垂直部の貫通孔に支持された状態で長手方向軸まわりに回転することができ、トナーがトナーカートリッジの底部側に凝集しにくくなる。
【００１１】
請求項５に係るトナーカートリッジ梱包ケースでは、請求項２から４のいずれかに記載のトナーカートリッジ梱包ケースにおいて、支持枠収容ケースが、トナーカートリッジ収容ケースが長手方向軸まわりに回転可能なようにトナーカートリッジ収容ケースを支持した状態の収容ケース支持枠を、長手方向軸にくい違う軸方向に複数並べて収容可能になっている。この場合、支持枠収容ケースが、収容ケース支持枠を長手方向軸にくい違う軸方向に複数並べて収容できるようになっているので、複数のトナーカートリッジをまとめて輸送することができる。たとえば、収容ケース支持枠を略Ｕ字形状や上面が開口した箱状に形成した場合、収納ケース支持枠を支持枠収容ケース内において前後方向や左右方向に並べて配置することで、複数のトナーカートリッジをまとめて輸送することができる。また、収納ケース支持枠を箱状に形成した場合、収納ケース支持枠を支持枠収容ケース内において前後左右方向や上下方向に積み重ねて配置することで、複数のトナーカートリッジをまとめて輸送することができる。
【００１２】
請求項６に係るトナーカートリッジ梱包ケースでは、請求項２から５のいずれかに記載のトナーカートリッジ梱包ケースにおいて、トナーカートリッジ収容ケースが、長手方向に長い矩形箱状に形成されている。このトナーカートリッジ収容ケースの少なくともいずれか一面は蓋部になっている。この場合、トナーカートリッジ収容ケースの少なくともいずれか一面は蓋部になっているので、この蓋部を開けることで、トナーカートリッジをトナーカートリッジ収容ケースに収容したりトナーカートリッジ収容ケースから引き出したりすることができる。また、トナーカートリッジ収容ケースは長手方向に長い矩形箱状に形成されている。このトナーカートリッジ収容ケースの両端部を一対の貫通孔に挿通すると、トナーカートリッジ収容ケースの両端部外周の隅角部が一対の貫通孔の内周面に接触した状態で、収納ケース支持枠においてトナーカートリッジ収容ケースが長手方向軸まわりに回転する。これにより、トナーがトナーカートリッジの底部側に凝集しにくくなる。
【００１３】
請求項７に係るトナーカートリッジ梱包ケースでは、請求項２から５のいずれかに記載のトナーカートリッジ梱包ケースにおいて、トナーカートリッジ収容ケースが、一方向に長い多角形筒状に形成されている。このトナーカートリッジ収容ケースは、長手方向の両端部が蓋部により閉塞可能になっており、長手方向の両端部の蓋部の少なくともいずれか一方が開閉自在になっている。この場合、トナーカートリッジ収容ケースの長手方向両端部の蓋部の少なくともいずれか一方が開閉自在になっているので、蓋部を開けることで、トナーカートリッジをトナーカートリッジ収容ケースに収容したりトナーカートリッジ収容ケースから引き出したりすることができる。また、トナーカートリッジ収容ケースは一方向に長い多角形筒状に形成されている。このトナーカートリッジ収容ケースの両端部を一対の貫通孔に挿通すると、トナーカートリッジ収容ケースの両端部外周の角部が一対の貫通孔の内周面に接触した状態で、収納ケース支持枠においてトナーカートリッジ収容ケースが長手方向軸まわりに回転する。これにより、トナーがトナーカートリッジの底部側に凝集しにくくなる。
【００１４】
請求項８に係るトナーカートリッジ梱包ケースでは、請求項２から５のいずれかに記載のトナーカートリッジ梱包ケースにおいて、トナーカートリッジ収容ケースが、一方向に長い円筒状に形成されている。このトナーカートリッジ収容ケースは、長手方向の両端部が蓋部により閉塞可能になっており、長手方向の両端部の蓋部の少なくともいずれか一方が開閉自在になっている。この場合、トナーカートリッジ収容ケースの長手方向両端部の蓋部の少なくともいずれか一方が開閉自在になっているので、この蓋部を開けることで、トナーカートリッジをトナーカートリッジ収容ケースに収容したりトナーカートリッジ収容ケースから引き出したりすることができる。また、トナーカートリッジ収容ケースは一方向に長い円筒状に形成されている。このトナーカートリッジ収容ケースの両端部を一対の貫通孔に挿通すると、トナーカートリッジ収容ケースの両端部外周面が一対の貫通孔の内周面に沿うように接触した状態で、収納ケース支持枠においてトナーカートリッジ収容ケースが長手方向軸まわりに回転する。これにより、トナーがトナーカートリッジの底部側に凝集しにくくなる。
【発明の効果】
【００１５】
本発明によれば、トナーカートリッジ収容ケースが長手方向軸まわりに回転可能なように、収容ケース支持枠がトナーカートリッジ収容ケースを支持している。この収容ケース支持枠が、支持枠収容ケースに収容されている。これにより、支持枠収容ケースが輸送時に振動すると、支持枠収容ケースに収容された収納ケース支持枠において、トナーカートリッジ収容ケースが長手方向軸まわりに回転する。つまり、トナーカートリッジは長手方向軸まわりの重量配分が均一にはなっていないので、支持枠収容ケースおよび収容ケース支持枠からトナーカートリッジを収納したトナーカートリッジ収容ケースに輸送時の振動等が伝達されると、トナーカートリッジの長手方向軸まわりの重量配分の不均一さに応じて、トナーカートリッジ収容ケースの長手方向軸まわりに偏心力が生じて、トナーカートリッジ収容ケースは収納ケース支持枠において長手方向軸まわりに回転する。これにより、トナーがトナーカートリッジの底部側に凝集しにくくなる。
【発明を実施するための最良の形態】
【００１６】
図２は、本発明の一実施形態によるトナーカートリッジ梱包ケース１を示す斜視図を示している。トナーカートリッジ梱包ケース１は、トナーカートリッジ収容ケース１０と、収容ケース支持枠１１と、支持枠収容ケース１２とを備えている。これらトナーカートリッジ収容ケース１０と収容ケース支持枠１１と支持枠収容ケース１２とは、たとえば、厚板紙や段ボール板等を折り曲げることにより形成される。トナーカートリッジ収容ケース１０は、一方向に長いトナーカートリッジを収容するためのものである。トナーカートリッジ収容ケース１０は、一方向に長い矩形箱状に形成されている。トナーカートリッジ収容ケース１０は、長手方向に長い矩形筒状部１０ａと蓋部１０ｂとを有している。矩形筒状部１０ａは、長手方向軸に垂直な断面が略正方形となるように形成されている。矩形筒状部１０ａの長手方向両端は略正方形状に開口しており、開口は蓋部１０ｂによって塞がれる。蓋部１０ｂは矩形筒状部１０ａの開口を塞ぐことができるように略正方形状に形成されており、蓋部１０ｂの４辺のうちの一辺が矩形筒状部１０ａの端部開口を取り囲む４辺のうちの１辺に一体に形成されている。この蓋部１０ｂの一辺に対向する他辺には、フラップ１０ｃが設けられている。このような蓋部１０ｂは、矩形筒状部１０ａの端部開口を取り囲む４辺のうちの１辺に一体に形成された蓋部１０ｂの一辺を山折りし、蓋部１０ｂのフラップ１０ｃを矩形筒状部１０ａ内に差し込むことで、矩形筒状部１０ａの両端開口を塞ぐことができる。このように、トナーカートリッジ収容ケース１０の少なくともいずれか一面を、ここでは矩形筒状部１０ａの両端面を、蓋部１０ｂにしておくことで、トナーカートリッジをトナーカートリッジ収容ケース１０に収容したり取り出したりすることができる。
【００１７】
収容ケース支持枠１１は、トナーカートリッジ収容ケース１０が長手方向軸まわりに回転可能なようにトナーカートリッジ収容ケース１０を支持するためのものである。収容ケース支持枠１１は、一方向に長い矩形板を折り曲げることにより、略Ｕ字形状に形成される。一方向に長い矩形板には、長手方向の両端辺１１ａそれぞれから所定の間隔を隔てた位置に、２つの折曲線１５ａが互いに平行に形成されている。これら２つの折曲線１５ａによって、矩形板は長手方向に３つの部分に分割されている。３つの部分は、中央部１５および中央部１５の両側に折曲線１５ａを介して隣接する２つの隣接部１６である。２つの隣接部１６が互いに対向するように矩形板を２つの折曲線１５ａで折り曲げることによって、矩形板は略Ｕ字形状に形成される。
【００１８】
収容ケース支持枠１１は、水平部１５と一対の垂直部１６とを有している。水平部１５は、一方向に長い矩形板の中央部に対応し、矩形板状に形成されている。この水平部１５は、支持枠収容ケース１２の底面に設置される。矩形板の長手方向の水平部１５の長さは、トナーカートリッジ収容ケース１０の長手方向長さより短くなっている。一対の垂直部１６は、一方向に長い矩形板の隣接部に対応し、それぞれが矩形板状に形成されている。一対の垂直部１６それぞれは、水平部１５において対向する縁部１５ａから略垂直上方に縁部１５ａに一体に形成されている。ここでは、一対の垂直部１６それぞれは、水平部１５の対向する２辺１５ａすなわち中央部両側の２つの折曲線１５ａを折り曲げることによって、中央部両側の略垂直上方に互いに対向するように配置されている。一対の垂直部１６の垂直方向および水平方向の少なくともいずれかの方向には、一対の貫通孔２０が互いに対向するように少なくとも１つ形成される。ここでは、一対の垂直部１６の垂直方向に、一対の貫通孔２０が互いに対向するように２つ形成されている。一対の貫通孔２０それぞれは、円形状に形成されている。一対の貫通孔２０それぞれの直径は、トナーカートリッジ収容ケース１０の長手方向軸に垂直な断面（略正方形）の対角線長さより大きくなるように形成されている。このような一対の貫通孔２０に、トナーカートリッジ収容ケース１０の両端部が回転自在に挿通されている。このようにして、トナーカートリッジ収容ケース１０は、一対の垂直部１６の間に架け渡される。
【００１９】
支持枠収容ケース１２は、トナーカートリッジ収容ケース１０が長手方向軸まわりに回転可能なようにトナーカートリッジ収容ケース１０を支持した状態の収容ケース支持枠１１を少なくとも１つ収容するためのものである。ここでは、支持枠収容ケース１２が、２つのトナーカートリッジ収容ケース１０を支持した状態の収容ケース支持枠１１を１つ収容できるようになっている。支持枠収容ケース１２は、矩形箱状に形成されている。支持枠収容ケース１２は、上面の４辺それぞれに一体に形成された４つの蓋部１２ａを有している。これら４つの蓋部１２ａを開けることによって、収容ケース支持枠１１を支持枠収容ケース１２に収容したり取り出したりすることができる。収容ケース支持枠１１を支持枠収容ケース１２に収容した後は、４つの蓋部１２ａが輸送時等に開いてしまわないように、４つの蓋部１２ａは互いに重ね合わせられテープ等によって止められる。
【００２０】
このようなトナーカートリッジ梱包ケース１では、まず、トナーカートリッジがトナーカートリッジ収容ケース１０に収容される。次に、トナーカートリッジ収容ケース１０の両端部が収容ケース支持枠１１の一対の貫通孔２０に回転自在に挿通され、トナーカートリッジ収容ケース１０が収容ケース支持枠１１の一対の垂直部１６の間に架け渡される。最後に、トナーカートリッジ収容ケース１０が収容ケース支持枠１１の一対の垂直部１６の間に架け渡された状態の収容ケース支持枠１１が、支持枠収容ケース１２に収容される。
【００２１】
本実施形態のトナーカートリッジ梱包ケース１では、トナーカートリッジ収容ケース１０が長手方向軸まわりに回転可能なように、トナーカートリッジ収容ケース１０の両端部が収容ケース支持枠１１の一対の貫通孔２０に挿通され、トナーカートリッジ収容ケース１０が収容ケース支持枠１１の一対の垂直部１６の間に架け渡されている。このようにトナーカートリッジ収容ケース１０が収容ケース支持枠１１の一対の垂直部１６の間に架け渡された状態の収容ケース支持枠１１が、支持枠収容ケース１２に収容されている。これにより、支持枠収容ケース１２が輸送時に振動すると、支持枠収容ケース１２に収容された収納ケース支持枠において、トナーカートリッジ収容ケース１０が長手方向軸まわりに回転する。つまり、トナーカートリッジは長手方向軸まわりの重量配分が均一ではないので、支持枠収容ケース１２および収容ケース支持枠１１からトナーカートリッジを収納したトナーカートリッジ収容ケース１０に輸送時の振動等が伝達されると、トナーカートリッジ収容ケース１０には、トナーカートリッジの長手方向軸まわりの重量配分の不均一さに応じて、トナーカートリッジ収容ケース１０には長手方向軸まわりに偏心力が生じる。この偏心力によって、トナーカートリッジ収容ケース１０は、収納ケース支持枠において長手方向軸まわりに回転する。このようにして、トナーカートリッジ収容ケース１０は両端部が一対の垂直部の貫通孔に回転自在に支持された状態で長手方向軸まわりに回転することができ、トナーがトナーカートリッジの底部側に凝集しにくくなる。
【００２２】
〔他の実施形態〕
（ａ）前記実施形態では、収容ケース支持枠１１が水平部１５と一対の垂直部１６とを有する場合の例を示したが、収納ケース支持枠１１の一対の貫通孔２０にトナーカートリッジ収容ケース１０の両端部を回転自在に挿通してトナーカートリッジ収容ケース１０を一対の貫通孔２０の間に架け渡すことができれば、収納ケース支持枠１１の形状は、前記実施形態に限定されず、どのようにしても良い。
【００２３】
たとえば、１つ目の例として、収容ケース支持枠は、支持枠収容ケースの底面に設置される水平部と、水平部の外周縁部から略垂直上方に外周縁部に一体に形成される垂直部とを有するようにしても良い。図３に示した収容ケース支持枠１１１は、上面が開口した矩形箱状に形成されている。この収容ケース支持枠１１１では、底面１１５が水平部に対応し、４つの側面１１６が垂直部に対応する。４つの側面１１６のうち互いに対向する一対の側面の垂直方向および水平方向の少なくともいずれかの方向には、一対の貫通孔が互いに対向するように少なくとも１つ形成される。ここでは、４つの側面１１６のうち互いに対向する一対の側面１１６ａの垂直方向に、一対の貫通孔１２０が互いに対向するように２つ形成されている。この一対の貫通孔１２０に、トナーカートリッジ収容ケース１１０の両端部が回転自在に挿通されている。このようにして、トナーカートリッジ収容ケース１１０は、貫通孔１２０を有する一対の側面の間に架け渡される。
【００２４】
たとえば、２つ目の例として、収容ケース支持枠が、支持枠収容ケースの底面に設置される第１水平部と、第１水平部の上方に所定の間隔を隔てて配置される第２水平部と、第１水平部と第２水平部との外周縁部を略垂直方向に連結するように第１および第２水平部の外周縁部に一体に形成される垂直部とを有するようにしても良い。図４に示した収容ケース支持枠２１１は、矩形箱状に形成されている。この収容ケース支持枠２１１では、底面２１５ａが第１水平部に対応し、上面２１５ｂが第２水平部に対応し、４つの側面２１６が垂直部に対応する。４つの側面２１６のうち互いに対向する一対の側面の垂直方向および水平方向の少なくともいずれかの方向には、一対の貫通孔が互いに対向するように少なくとも１つ形成される。ここでは、４つの側面２１６のうち互いに対向する一対の側面２１６ａの垂直方向に、一対の貫通孔２２０が互いに対向するように２つ形成されている。この一対の貫通孔２２０に、トナーカートリッジ収容ケース２１０の両端部が回転自在に挿通されている。このようにして、トナーカートリッジ収容ケース２１０は、貫通孔２２０を有する一対の側面の間に架け渡される。
【００２５】
このように収納ケース支持枠１１１，２１１の形状を形成すると、収容ケース支持枠１１１，２１１の垂直部１１６，２１６の剛性を十分に確保することができ、トナーカートリッジ収容ケース１１０，２１０の両端部を収容ケース支持枠１１１，２１１の一対の垂直部１１６，２１６において安定に支持することができる。また、トナーカートリッジ収容ケース１１０，２１０の両端部が一対の貫通孔１２０，２２０に回転自在に挿通され、トナーカートリッジ収容ケース１１０，２１０が一対の垂直部の間に架け渡されているので、トナーカートリッジ収容ケース１１０，２１０は、両端部が一対の垂直部１１６，２１６の貫通孔１２０，２２０に支持された状態で長手方向軸まわりに回転することができ、トナーがトナーカートリッジの底部側に凝集しにくくなる。
【００２６】
（ｂ）前記実施形態では、トナーカートリッジ収容ケース１０が一方向に長い矩形箱状に形成される場合の例を示したが、トナーカートリッジを収容することができ収容ケース支持枠の一対の貫通孔に両端部を回転自在に挿通することできれば、トナーカートリッジ収容ケースの形状は、前記実施形態に限定されず、どのようにしても良い。
【００２７】
たとえば、１つ目の例として、トナーカートリッジ収容ケースが、一方向に長い多角形箱状に形成されていても良い。図５に示したトナーカートリッジ収容ケース３１０は、一方向に長い８角形筒状に形成されている。このトナーカートリッジ収容ケース３１０では、トナーカートリッジ収容ケース３１０の長手方向の両端部が蓋部３１０ａになっている。
【００２８】
たとえば、２つ目の例として、図６に示すように、トナーカートリッジ収容ケース４１０が、一方向に長い円筒状に形成されていても良い。このトナーカートリッジ収容ケース４１０では、トナーカートリッジ収容ケース４１０の長手方向の両端部が蓋部４１０ａになっている。
【００２９】
このようにトナーカートリッジ収容ケース３１０，４１０の形状を形成しても、前記実施形態と同様の効果を得ることができる。
【００３０】
（ｃ）前記実施形態では、支持枠収容ケース１２がトナーカートリッジ収容ケース１０を支持した状態の収容ケース支持枠１１を１つ収容する場合の例を示したが、支持枠収容ケースに収容ケース支持枠を収容する数は、前記実施形態に限定されず、どのような数にしても良い。たとえば、支持枠収容ケースは、トナーカートリッジ収容ケースが長手方向軸まわりに回転可能なようにトナーカートリッジ収容ケースを支持した状態の複数の収容ケース支持枠を、トナーカートリッジ収容ケースの長手方向軸にくい違う軸方向たとえば水平軸方向や垂直軸方向に並べて収容できるようにしても良い。ここで、図７は、支持枠収容ケース５１２に、２つの収容ケース支持枠５１１をトナーカートリッジ収容ケース５１０の長手方向軸にくい違う水平軸方向に並べて収容できるようにした場合のものである。このようにすることで、複数のトナーカートリッジをまとめて輸送することができる。
【００３１】
（ｄ）前記実施形態では、収容ケース支持枠１１が厚板紙や段ボール板等を折り曲げることにより形成される場合の例を示したが、収容ケース支持枠１１の材質は、前記実施形態に限定されず、どのようなものでも良い。たとえば、収容ケース支持枠１１を合成樹脂等で形成するようにしても良い。この場合、収容ケース支持枠１１によって、トナーカートリッジ収容ケースをより確実に支持することができる。
【図面の簡単な説明】
【００３２】
【図１】従来のトナーカートリッジ梱包ケースを示す斜視図。
【図２】本発明の一実施形態によるトナーカートリッジ梱包ケースを示す斜視図。
【図３】本発明の他の実施形態によるトナーカートリッジ梱包ケースの上面が開口した矩形箱状の収容ケース支持枠を示す斜視図。
【図４】本発明の他の実施形態によるトナーカートリッジ梱包ケースの矩形箱状の収容ケース支持枠を示す斜視図。
【図５】本発明の他の実施形態によるトナーカートリッジ梱包ケースの一方向に長い８角形筒状のトナーカートリッジ収容ケースを示す斜視図。
【図６】本発明の他の実施形態によるトナーカートリッジ梱包ケースの一方向に長い円筒状のトナーカートリッジ収容ケースを示す斜視図。
【図７】本発明の他の実施形態による支持枠収容ケースを示す斜視図。
【符号の説明】
【００３３】
１  トナーカートリッジ梱包ケース
１０，１１０，２１０，３１０，４１０，５１０  トナーカートリッジ収容ケース
１０ａ  矩形筒状部
１０ｂ，３１０ａ，４１０ａ  蓋部
１１，１１１，２１１，５１１  収容ケース支持枠
１２，５１２  支持枠収容ケース
１５，１１５  水平部、
１５ａ  縁部
１６，１１６，２１６  垂直部
２０，１２０，２２０  貫通孔
２１５ａ  第１水平部
２１５ｂ  第２水平部
【図１】
2005266319.tif 000003
【図２】
2005266319.tif 000004
【図３】
2005266319.tif 000005
【図４】
2005266319.tif 000006
【図５】
2005266319.tif 000007
【図６】
2005266319.tif 000008
【図７】
2005266319.tif 000009